(57)【要約】【課題】小型軽量化を図りつつ簡易な操作でカレンダーの表示形態を変更する目的で、受信された標準電波の周波数とコードの両方又は一方によって、当該標準電波に対応するカレンダー表示形態を自動的に特定し、特定されたカレンダー表示形態で当該標準電波の標準時刻を表示させる手段を設ける。【解決手段】デート表示装置１０において、時刻を所定のカレンダー表示形態で表示するためのＬＣＤ１８と、標準時刻に関する情報を有し周波数とコードの両方又は一方が互いに異なる複数の標準電波を受信可能な標準電波受信回路１４と、受信された標準電波の周波数とコードの両方又は一方によって、当該標準電波に対応するカレンダー表示形態を特定する特定手段、及び特定されたカレンダー表示形態で当該標準電波の標準時刻をＬＣＤ１８に表示させる表示制御手段としてのＣＰＵ１１とを備えた。【選択図】  図１
2004294206.tif 000002
【特許請求の範囲】
【請求項１】
時刻を所定のカレンダー表示形態で表示するための表示手段と、
標準時刻に関する情報を有し、周波数とコードの両方又は一方が互いに異なる複数の標準電波を受信可能な電波受信手段と、
受信された標準電波の周波数とコードの両方又は一方によって、当該標準電波に対応するカレンダー表示形態を特定する特定手段と、
特定されたカレンダー表示形態で、当該標準電波の標準時刻を前記表示手段に表示させる表示制御手段と、
を備えたデート表示装置。
【請求項２】
時刻を所定のカレンダー表示形態で表示するための表示手段と、
予め設定されたカレンダー表示形態の情報を記憶した不揮発性メモリと、
新たな電源の投入時に前記不揮発性メモリに記憶されたカレンダー表示形態の情報を読み取る読取手段と、
標準時刻に関する情報を有し、周波数とコードの両方又は一方が互いに異なる複数の標準電波を受信可能な電波受信手段と、
前記読取手段により読み取られたカレンダー表示形態で、前記電波受信手段により受信された標準電波の標準時刻を前記表示手段に表示させる表示制御手段と、
を備えたデート表示装置。
【請求項３】
請求項１または２記載のデート表示装置を備えたことを特徴とするカメラ。
【発明の詳細な説明】
【０００１】
【発明の属する技術分野】
本発明は、標準時刻に関する情報を有する標準電波を受信し当該標準時刻を所定のカレンダー表示形態で表示するデート表示装置、及び当該デート表示装置を備えたカメラに関する。
【０００２】
本明細書での「標準電波」には、ＧＰＳ衛星からの電波を含まないものとする。
【０００３】
【従来の技術】
カレンダーの表示形態は、例えば、年月日、月日年、日月年のように世界中の国や地域によって異なっている。このため、従来のカレンダー機能を持つカメラや時計等では、スイッチの操作を行うことで、カレンダーの表示形態を変更できるようにしている。
【０００４】
また、入力手段により入力された国名又は地域名及び期間の情報によりカレンダー表示形態を旅行国に対応する表示形態に変更する技術が下記の特許文献１に開示されている。
【０００５】
【特許文献１】
特開平１１−１０９４７７号公報
【０００６】
【発明が解決しようとする課題】
しかしながら、上記のような技術では、カレンダーの表示形態を変更する度にいちいちスイッチを操作したり、国名又は地域名及び期間の情報を入力する必要があった。また、電源投入時（例えば、電池を新しい電池に交換した時）はデフォルトの表示形態に戻るため、再度表示形態をその国や地域に応じて設定し直さなければならなかった。このようにカレンダーの表示形態の変更は非常に手間で煩雑な作業であった。
【０００７】
また、カメラや時計等の所有者がカレンダーの表示形態の変更を忘れてしまうことも多々あり、当該変更を忘れた場合、その国や地域の表示形態とは異なる表示形態で日付が写真プリント等に印字されるおそれがある。
【０００８】
さらに、カメラや時計等を外国向けに出荷するに際し、電源投入時のデフォルトのカレンダーの表示形態を出荷先の国等の表示形態に予め設定することも行われている。このとき、デフォルトのカレンダーの表示形態を１つにしてスイッチで切り替える方法も考えられるが、ユーザが携帯するのが一般的なカメラや時計等には、小型軽量化が強く要求されているため、上記スイッチの設置は小型軽量化の妨げとなり、既存のスイッチと兼用とすると、設定操作が複雑となるという問題点が生じる。
【０００９】
本発明は、上記課題を解決するために成されたものであり、小型軽量化を図りつつ簡易な操作でカレンダーの表示形態を変更することができるデート表示装置及びデート表示装置を備えたカメラを提供することを目的とする。
【００１０】
【課題を解決するための手段】
上記目的を達成するために、本発明に係るデート表示装置は、請求項１に記載したように、時刻を所定のカレンダー表示形態で表示するための表示手段と、標準時刻に関する情報を有し、周波数とコードの両方又は一方が互いに異なる複数の標準電波を受信可能な電波受信手段と、受信された標準電波の周波数とコードの両方又は一方によって、当該標準電波に対応するカレンダー表示形態を特定する特定手段と、特定されたカレンダー表示形態で、当該標準電波の標準時刻を表示手段に表示させる表示制御手段とを備えたことを特徴とする。
【００１１】
上記デート表示装置は、時刻を所定のカレンダー表示形態で表示するための表示手段を備え、電波受信手段によって、標準時刻に関する情報を有する複数の標準電波を受信可能とされている。複数の標準電波は、周波数とコードの両方又は一方が互いに異なっている。そこで、特定手段が、電波受信手段により受信された標準電波の周波数とコードの両方又は一方によって、当該標準電波に対応するカレンダー表示形態を特定し、表示制御手段が、特定されたカレンダー表示形態で、当該標準電波の標準時刻を表示手段に表示させる。
【００１２】
このように、受信された標準電波の周波数とコードの両方又は一方によって、当該標準電波に対応するカレンダー表示形態を自動的に特定し、特定されたカレンダー表示形態で当該標準電波の標準時刻を表示手段に表示させるため、カレンダー表示形態の設定用のスイッチを一切必要とせず、またユーザにスイッチ操作をさせる必要もなく、現在位置する国・地域で受信される標準電波に対応するカレンダー表示形態で時刻を自動的に表示させることができる。即ち、スイッチを不要として小型軽量化を図りつつ、ユーザ操作を不要としてカレンダーの表示形態を自動的に変更することができる。
【００１３】
また、上記目的を達成するために、本発明に係るデート表示装置は、請求項２に記載したように、時刻を所定のカレンダー表示形態で表示するための表示手段と、予め設定されたカレンダー表示形態の情報を記憶した不揮発性メモリと、新たな電源の投入時に不揮発性メモリに記憶されたカレンダー表示形態の情報を読み取る読取手段と、標準時刻に関する情報を有し、周波数とコードの両方又は一方が互いに異なる複数の標準電波を受信可能な電波受信手段と、読取手段により読み取られたカレンダー表示形態で、電波受信手段により受信された標準電波の標準時刻を表示手段に表示させる表示制御手段とを備えたことを特徴とする。
【００１４】
上記デート表示装置は、時刻を所定のカレンダー表示形態で表示するための表示手段と、予め設定されたカレンダー表示形態の情報を記憶した不揮発性メモリとを備え、電波受信手段によって、標準時刻に関する情報を有する複数の標準電波を受信可能とされている。複数の標準電波は、周波数とコードの両方又は一方が互いに異なっており、これら周波数又はコードにより識別可能である。そこで、デート表示装置において、新たな電源の投入時には、読取手段が、不揮発性メモリに記憶されたカレンダー表示形態の情報を読み取り、表示制御手段が、上記読み取られたカレンダー表示形態で、電波受信手段により受信された標準電波の標準時刻を表示手段に表示させる。
【００１５】
このように、デート表示装置において新たな電源の投入時には、不揮発性メモリに記憶されたカレンダー表示形態の情報が自動的に読み取られ、表示制御手段によって、当該カレンダー表示形態で標準電波の標準時刻が自動的に表示手段に表示される。このため、電源投入時（例えば電池を新しい電池に交換した時等）のデフォルトのカレンダーの表示形態の設定用にスイッチを設ける必要がなく、装置の小型軽量化の妨げとなることはなく、スイッチ設定操作の煩雑さも生じない。即ち、スイッチを不要として小型軽量化を図りつつ、電源の投入時のユーザ操作を不要としてカレンダーの表示形態を自動的に初期設定することができる。
【００１６】
上記の請求項１または２記載のデート表示装置は、請求項３に記載したように、カメラに備えることができ、上記と同様の効果を得ることができる。
【００１７】
【発明の実施の形態】
以下、本発明に係る各種の実施形態について説明する。
【００１８】
［第１実施形態］
第１実施形態では、請求項１記載の発明を説明する。
【００１９】
図１には、本実施形態のデート表示装置１０の構成図を示す。この図１に示すように、デート表示装置１０は、電波を受信するためのアンテナ１２に接続され送信局周波数を切り替える送信局周波数切替回路１３と、標準時刻に関する情報を有し、周波数とコードの両方又は一方が互いに異なる複数の標準電波を受信可能な標準電波受信回路１４と、ユーザが送信局を設定するための送信局設定スイッチ１５と、ユーザが内部時計の時刻を設定・変更するための内部時計時刻設定スイッチ１６と、基準クロックに基づいて日時情報（時刻及び日付の情報）をカウントアップする時計回路１７と、表示装置としての液晶ディスプレイ（ＬＣＤ）１８と、上記の各構成要素の動作を制御・監視するＣＰＵ１１とを備えている。
【００２０】
デート表示装置１０では、送信局については、ユーザが送信局設定スイッチ１５によって設定することも可能であり、また、標準電波受信回路１４及びＣＰＵ１１により後述の図２の処理により送信局を自動判別して設定することも可能である。
【００２１】
また、ＣＰＵ１１は、ＲＯＭ１１Ａと、ＲＡＭ１１Ｂとを備えており、ＲＯＭ１１Ａには、デフォルトのカレンダー表示形態の情報が予め記憶されている。
【００２２】
次に、図２を用いて、標準電波を受信した後にカレンダー表示形態を自動設定する処理（標準電波受信処理）を説明する。
【００２３】
デート表示装置１０において標準電波が受信されると、ＣＰＵ１１によって図２の標準電波受信処理が実行開始される。
【００２４】
まず、送信局設定スイッチ１５により送信局が既に設定されているか否かを判断する（Ｓ０１）。このとき送信局が既に設定されていれば、当該設定された送信局である場合の周波数及びコードで、標準電波の解読を試行する（Ｓ０２）。
【００２５】
この解読ができたか否かを判断し（Ｓ０３）、解読ができた場合は、当該設定された送信局（国・地域）に対応するカレンダー表示形態をセットするとともに、上記解読で得られた時刻をセットし（Ｓ０４）、セットされたカレンダー表示形態で時刻をＬＣＤ１８に表示して（Ｓ１５）、図２の処理を終了する。
【００２６】
一方、Ｓ０３で解読ができなかった場合は、標準電波を受信不可であった旨をＬＣＤ１８に表示する（Ｓ０５）。そして、ＲＯＭ１１Ａに記憶されたデフォルトのカレンダー表示形態をセットするとともに、内蔵した時計回路１７の時刻をセットし（Ｓ０６）、セットされたカレンダー表示形態で時刻をＬＣＤ１８に表示して（Ｓ１５）、図２の処理を終了する。
【００２７】
また、Ｓ０１で送信局が設定されていなければ、一の送信局（例えばＡ送信局）用の受信周波数を送信局周波数切替回路１３によって設定する（Ｓ０７）。この状態で標準電波の入力が検知されたか否かを判断する（Ｓ０８）。標準電波の入力が検知された場合は、Ａ送信局である場合の周波数及びコードで、標準電波の解読を試行する（Ｓ０９）。
【００２８】
この解読ができたか否かを判断し（Ｓ１０）、解読ができた場合は、当該Ａ送信局（国・地域）に対応するカレンダー表示形態をセットするとともに、上記解読で得られた時刻をセットし（Ｓ１１）、セットされたカレンダー表示形態で時刻をＬＣＤ１８に表示して（Ｓ１５）、図２の処理を終了する。
【００２９】
一方、Ｓ１０で解読ができなかった場合は、Ｂ送信局である場合の周波数及びコードで、標準電波の解読を試行する（Ｓ１２）。この解読ができたか否かを判断し（Ｓ１３）、解読ができた場合は、当該Ｂ送信局（国・地域）に対応するカレンダー表示形態をセットするとともに、上記解読で得られた時刻をセットし（Ｓ１４）、セットされたカレンダー表示形態で時刻をＬＣＤ１８に表示して（Ｓ１５）、図２の処理を終了する。
【００３０】
ただし、Ｓ１３で解読ができなかった場合は、標準電波を受信不可であった旨をＬＣＤ１８に表示する（Ｓ０５）。そして、ＲＯＭ１１Ａに記憶されたデフォルトのカレンダー表示形態をセットするとともに、内蔵した時計回路１７の時刻をセットし（Ｓ０６）、セットされたカレンダー表示形態で時刻をＬＣＤ１８に表示して（Ｓ１５）、図２の処理を終了する。
【００３１】
ところで、Ｓ０８で標準電波の入力が検知されなかった場合は、Ａ送信局用の受信周波数では標準電波を受信できないと判断できるため、他の送信局（例えばＮ送信局）用の受信周波数を送信局周波数切替回路１３によって設定して、上記のＳ０７〜Ｓ１４（処理グループＧ１）と同様の処理グループＧ２を実行する。
【００３２】
この処理グループＧ２でのＳ０８に相当する判断処理で、標準電波の入力が検知されなかった場合は、Ｎ送信局用の受信周波数では標準電波を受信できないと判断できるため、さらに別の送信局（例えば（Ｎ＋α）送信局）用の受信周波数を送信局周波数切替回路１３によって設定して、処理グループＧ１と同様の処理グループＧ３を実行する。
【００３３】
なお、処理グループＧ２、Ｇ３にて、何れの送信局の周波数でも標準電波の解読が不可能であった場合は、標準電波を受信不可であった旨をＬＣＤ１８に表示し（Ｓ０５）、ＲＯＭ１１Ａに記憶されたデフォルトのカレンダー表示形態をセットするとともに、内蔵した時計回路１７の時刻をセットし（Ｓ０６）、セットされたカレンダー表示形態で時刻をＬＣＤ１８に表示して（Ｓ１５）、図２の処理を終了する。
【００３４】
以上の図２の処理によって、送信局が予め設定されていなければ、受信された標準電波に対応するカレンダー表示形態を自動的に特定し、特定されたカレンダー表示形態で当該標準電波の標準時刻を表示手段に表示させるため、カレンダー表示形態の設定用のスイッチを一切必要とせず、またユーザにスイッチ操作をさせる必要もなく、現在位置する国・地域で受信される標準電波に対応するカレンダー表示形態で時刻を自動的に表示させることができる。即ち、スイッチを不要として小型軽量化を図りつつ、ユーザ操作を不要としてカレンダーの表示形態を自動的に変更することができる。
【００３５】
［第２実施形態］
第２実施形態では、請求項２記載の発明を説明する。
【００３６】
図３には、本実施形態のデート表示装置１０Ｓの構成図を示す。この図３に示すように、デート表示装置１０Ｓは、前述した図１のデート表示装置１０とほぼ同様の構成であるが、送信局設定スイッチ１５に代わり、予め設定されたカレンダー表示形態の情報を記憶した不揮発性メモリとしてのＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１９を備えている。
【００３７】
また、ＣＰＵ１１は、新たな電源の投入時に、ＥＥＰＲＯＭ１９に記憶されたカレンダー表示形態の情報を読み取り、読み取られたカレンダー表示形態で標準電波の標準時刻をＬＣＤ１８に表示させる制御を行う。
【００３８】
次に、図４を用いて、電源投入時の初期設定のための処理（電源投入初期処理）を説明する。なお、ここでは、カレンダー表示形態としては、Ａ送信局用の表示形態、Ｂ送信局用の表示形態、Ｃ送信局用の表示形態、Ｄ送信局用の表示形態の計４つが存在するものとする。
【００３９】
デート表示装置１０において電源が投入される（例えば、電池が新しい電池に交換される）と、ＣＰＵ１１によって図４の電源投入初期処理が実行開始される。
【００４０】
まず、ＥＥＰＲＯＭ１９に記憶されたカレンダー表示形態の情報を読み取る（Ｓ２１）。そして、標準電波を受信するとともに、上記予め設定されたカレンダー表示形態がＡ送信局用の表示形態であるか否かを判断し（Ｓ２２）、Ａ送信局用の表示形態であれば、当該Ａ送信局（国・地域）に対応するカレンダー表示形態をセットするとともに、標準電波を解読して得られた時刻をセットし（Ｓ２５）、セットされたカレンダー表示形態で時刻をＬＣＤ１８に表示して（Ｓ２９）、図４の処理を終了する。
【００４１】
また、Ｓ２２でＡ送信局用の表示形態でなければ、さらに標準電波を受信するとともに、上記予め設定されたカレンダー表示形態がＢ送信局用の表示形態であるか否かを判断し（Ｓ２３）、Ｂ送信局用の表示形態であれば、当該Ｂ送信局（国・地域）に対応するカレンダー表示形態をセットするとともに、標準電波を解読して得られた時刻をセットし（Ｓ２６）、セットされたカレンダー表示形態で時刻をＬＣＤ１８に表示して（Ｓ２９）、図４の処理を終了する。
【００４２】
また、Ｓ２３でＢ送信局用の表示形態でなければ、さらに標準電波を受信するとともに、上記予め設定されたカレンダー表示形態がＣ送信局用の表示形態であるか否かを判断し（Ｓ２４）、Ｃ送信局用の表示形態であれば、当該Ｃ送信局（国・地域）に対応するカレンダー表示形態をセットするとともに、標準電波を解読して得られた時刻をセットし（Ｓ２７）、セットされたカレンダー表示形態で時刻をＬＣＤ１８に表示して（Ｓ２９）、図４の処理を終了する。
【００４３】
また、Ｓ２４でＣ送信局用の表示形態でなければ、上記予め設定されたカレンダー表示形態がＤ送信局用の表示形態であると判断できるため、当該Ｄ送信局（国・地域）に対応するカレンダー表示形態をセットするとともに、標準電波を解読して得られた時刻をセットし（Ｓ２８）、セットされたカレンダー表示形態で時刻をＬＣＤ１８に表示して（Ｓ２９）、図４の処理を終了する。
【００４４】
以上の図４の処理によって、新たな電源の投入時には、ＥＥＰＲＯＭ１９に記憶されたカレンダー表示形態の情報が自動的に読み取られ、当該カレンダー表示形態で標準電波の標準時刻が自動的に表示手段に表示される。このため、電源投入時のデフォルトのカレンダーの表示形態の設定用にスイッチを設ける必要がなく、装置の小型軽量化の妨げとなることはなく、スイッチ設定操作の煩雑さも生じない。即ち、スイッチを不要として小型軽量化を図りつつ、電源の投入時のユーザ操作を不要としてカレンダーの表示形態を自動的に初期設定することができる。
【００４５】
［第３実施形態］
第３実施形態では、電源投入時に請求項１記載の発明を適用した例を説明する。本実施形態のデート表示装置の構成は、図１に示すデート表示装置１０と同様である。
【００４６】
次に、図５を用いて、電源投入後の初回の標準電波受信時の処理を説明する。なお、ここでは、カレンダー表示形態としては、Ａ送信局用の表示形態、Ｂ送信局用の表示形態、Ｃ送信局用の表示形態、Ｄ送信局用の表示形態の計４つが存在するものとする。
【００４７】
デート表示装置１０において電源が投入される（例えば、電池が新しい電池に交換される）と、ＣＰＵ１１によって図５の電源投入初期処理が実行開始される。
【００４８】
まず、標準電波を受信する（Ｓ４１）。そして、受信した標準電波をＡ送信局（国・地域）の周波数・コードで解読可能か否かを判断し（Ｓ４２）、解読可能であれば、当該Ａ送信局（国・地域）に対応するカレンダー表示形態をセットするとともに、標準電波を解読して得られた時刻をセットし（Ｓ４５）、セットされたカレンダー表示形態で時刻をＬＣＤ１８に表示して（Ｓ４９）、図５の処理を終了する。
【００４９】
また、Ｓ４２でＡ送信局（国・地域）の周波数・コードで解読可能でなければ、Ｂ送信局（国・地域）の周波数・コードで解読可能か否かを判断し（Ｓ４３）、解読可能であれば、当該Ｂ送信局（国・地域）に対応するカレンダー表示形態をセットするとともに、標準電波を解読して得られた時刻をセットし（Ｓ４６）、セットされたカレンダー表示形態で時刻をＬＣＤ１８に表示して（Ｓ４９）、図５の処理を終了する。
【００５０】
また、Ｓ４３でＢ送信局（国・地域）の周波数・コードで解読可能でなければ、Ｃ送信局（国・地域）の周波数・コードで解読可能か否かを判断し（Ｓ４４）、解読可能であれば、当該Ｃ送信局（国・地域）に対応するカレンダー表示形態をセットするとともに、標準電波を解読して得られた時刻をセットし（Ｓ４７）、セットされたカレンダー表示形態で時刻をＬＣＤ１８に表示して（Ｓ４９）、図５の処理を終了する。
【００５１】
また、Ｓ４４でＣ送信局（国・地域）の周波数・コードで解読可能でなければ、カレンダー表示形態がＤ送信局用の表示形態であると判断できるため、当該Ｄ送信局（国・地域）に対応するカレンダー表示形態をセットするとともに、標準電波を解読して得られた時刻をセットし（Ｓ４８）、セットされたカレンダー表示形態で時刻をＬＣＤ１８に表示して（Ｓ４９）、図５の処理を終了する。
【００５２】
以上の図５の処理によって、電源投入後の初回の標準電波受信時に、当該受信された標準電波に対応するカレンダー表示形態を自動的に特定し、特定されたカレンダー表示形態で当該標準電波の標準時刻を表示手段に表示させるため、カレンダー表示形態の設定用のスイッチを一切必要とせず、またユーザにスイッチ操作をさせる必要もなく、現在位置する国・地域で受信される標準電波に対応するカレンダー表示形態で時刻を自動的に表示させることができる。即ち、スイッチを不要として小型軽量化を図りつつ、ユーザ操作を不要としてカレンダーの表示形態を自動的に変更することができる。
【００５３】
なお、上記第１〜第３実施形態のデート表示装置は、カメラに搭載することができる。この場合、カレンダー表示形態が日本と異なる外国においてカメラを使用する際に、ユーザがカレンダー表示形態を設定変更せずとも、自動的に当該外国のカレンダー表示形態に設定変更される。これにより、写真プリントへ日時情報を写し込む際に、当該外国に対応したカレンダー表示形態での日時情報の写し込みが実現できる。
【００５４】
もちろん、上記第１〜第３実施形態のデート表示装置は、カメラ以外にも、時計や携帯電話等のように、ユーザが外国旅行等に携行する物に適用すれば、非常に有効であり、上記同様の効果が得られる。
【００５５】
【発明の効果】
以上説明したように、本発明によれば、受信された標準電波に対応するカレンダー表示形態を自動的に特定し、特定されたカレンダー表示形態で当該標準電波の標準時刻を表示させる、又は電源投入時に予め記憶されたカレンダー表示形態で当該標準電波の標準時刻を表示させるため、カレンダー表示形態の設定用のスイッチを一切必要とせず、現在位置する国・地域で受信される標準電波に対応するカレンダー表示形態で時刻を自動的に表示させることができる。即ち、スイッチを不要として小型軽量化を図りつつ、ユーザ操作の煩雑さを解消することができる。
【図面の簡単な説明】
【図１】第１、第３実施形態のデート表示装置の構成図である。
【図２】第１実施形態で実行される処理の流れ図である。
【図３】第２実施形態のデート表示装置の構成図である。
【図４】第２実施形態で実行される処理の流れ図である。
【図５】第３実施形態で実行される処理の流れ図である。
【符号の説明】
１０、１０Ｓ…デート表示装置、１１…ＣＰＵ、１１Ａ…ＲＯＭ、１１Ｂ…ＲＡＭ、１２…アンテナ、１３…送信局周波数切替回路、１４…標準電波受信回路、１５…送信局設定スイッチ、１６…内部時計時刻設定スイッチ、１７…時計回路、１８…ＬＣＤ、１９…ＥＥＰＲＯＭ。
【図１】
2004294206.tif 000003
【図２】
2004294206.tif 000004
【図３】
2004294206.tif 000005
【図４】
2004294206.tif 000006
【図５】
2004294206.tif 000007